(57)【要約】【課題】  水の浸入による躯体構造材の腐食及び躯体表面の汚れを防止することができる手摺装置を提供する。【解決手段】  手摺５の支柱６を固定するために躯体２の上部に配設される支柱アンカー７と、躯体２の上部に被せられる躯体笠木８とを備え、支柱アンカー７は躯体２の上部に固着具９で固定される基部１０と、該基部１０に立設された立設部１１とを有し、躯体笠木８に立設部１１が貫通する孔部１７を設け、該孔部１７を貫通した立設部１１に支柱６の下部が固定され、前記基部１０に孔部１７から浸入する水を躯体２の幅方向へ導く排水溝２４を設け、躯体２の上部２ａと基部１０との間に、前記排水溝２４からの水を受けて躯体２の側面から離れた位置に排水する排水部材２５を配置する。【選択図】          図２
2005207080.tif 000002
【特許請求の範囲】
【請求項１】
手摺の支柱を固定するために躯体の上部に配設される支柱アンカーと、躯体の上部に被せられる躯体笠木とを備え、支柱アンカーは躯体の上部に固着具で固定される基部と、該基部に立設された立設部とを有し、躯体笠木に立設部が貫通する孔部を設け、該孔部を貫通した立設部に支柱の下部が固定され、前記基部に孔部から浸入する水を躯体の幅方向へ導く排水溝を設け、躯体の上部と基部との間に、前記排水溝からの水を受けて躯体の側面から離れた位置に排水する排水部材を配置したことを特徴とする手摺装置。
【発明の詳細な説明】
【技術分野】
【０００１】
本発明は、ベランダ等に設けられる手摺装置に係り、特に手摺の支柱を固定するために躯体の上部に配設される支柱アンカーの構造を改良した手摺装置に関する。
【背景技術】
【０００２】
建物のベランダ等に設けられる手摺装置としては、図８に示すように、手摺の支柱（図示省略）を固定するために躯体２の上部に配設される支柱アンカー７と、躯体２の上部に被せられる躯体笠木８とを備えたものがある。支柱アンカー７は躯体２の上部に固着具例えば木ねじで固定される基部１０と、該基部１０に立設された立設部１１とを有している。躯体笠木８には立設部１１を貫通させる孔部１７が設けられ、該孔部１７を貫通した立設部１１に支柱の下部が固定される。基部１０には固着具例えば木ねじを通す取付孔部１２が設けられている。躯体２は、木製の構造材と、該構造材を覆うように設けられる外装材（サイディング）とからなり、支柱アンカー７の基部１０を固定するために木ねじが外装材から構造材に捩じ込まれている。前記躯体笠木８の孔部１７から浸入して支柱アンカー７の基部１０上に流下した雨水等の水が木ねじを伝わり躯体２の構造材に達し、構造材の腐食を招くのを防止するために取付孔部１２及び木ねじの頭部周辺には止水用のコーキング材が充填れている。
【０００３】
なお、ベランダや屋上のパラペット（胸壁）躯体にパラペット笠木や手摺の支柱を設ける技術は、例えば特開平８−３２６２４９号公報に記載されている。
【０００４】
【特許文献１】特開平８−３２６２４９号公報
【発明の開示】
【発明が解決しようとする課題】
【０００５】
しかしながら、従来の手摺装置においては、前記コーキング材が経年変化により劣化して亀裂や隙間が発生すると、その部分から水が躯体２の構造材に浸入して構造材の腐食を招き、耐久性が低下する恐れがある。また、支柱アンカー７の基部１０上に流下した水が躯体２の表面に沿って流下することにより、躯体２の表面すなわち外装材の表面が汚れるという問題もある。
【０００６】
本発明は、上記事情を考慮してなされたものであり、水の浸入による躯体構造材の腐食及び躯体表面の汚れを防止することができる手摺装置を提供することを目的とする。
【課題を解決するための手段】
【０００７】
本発明は、手摺の支柱を固定するために躯体の上部に配設される支柱アンカーと、躯体の上部に被せられる躯体笠木とを備え、支柱アンカーは躯体の上部に固着具で固定される基部と、該基部に立設された立設部とを有し、躯体笠木に立設部が貫通する孔部を設け、該孔部を貫通した立設部に支柱の下部が固定され、前記基部に孔部から浸入する水を躯体の幅方向へ導く排水溝を設け、躯体の上部と基部との間に、前記排水溝からの水を受けて躯体の側面から離れた位置に排水する排水部材を配置したことを特徴とする。
【発明の効果】
【０００８】
本発明によれば、手摺の支柱を固定するために躯体の上部に配設される支柱アンカーと、躯体の上部に被せられる躯体笠木とを備え、支柱アンカーは躯体の上部に固着具で固定される基部と、該基部に立設された立設部とを有し、躯体笠木に立設部が貫通する孔部を設け、該孔部を貫通した立設部に支柱の下部が固定され、前記基部に孔部から浸入する水を躯体の幅方向へ導く排水溝を設け、躯体の上部と基部との間に、前記排水溝からの水を受けて躯体の側面から離れた位置に排水する排水部材を配置しているため、排水性が向上し、水の浸入による躯体構造材の腐食及び躯体表面の汚れを防止することができる。
【発明を実施するための最良の形態】
【０００９】
以下に、本発明を実施するための最良の形態について、添付図面を基に詳述する。図１は本発明の実施の形態である手摺装置を概略的に示す図、図２は手摺装置の要部を説明するための透視図、図３は手摺の一例を示す図で、（ａ）は内側から見た図、（ｂ）は断面図である。
【００１０】
これらの図において、１は建物に設けられたバルコニーで、このバルコニー１は床の外縁部に沿って所定の高さで隆起して設けられた躯体２を備えている。この躯体２は木製の構造材３と、この構造材３の上面及び両側面を覆うように設けられた外装材４とから主に構成されている。外装材４は断面逆Ｕ字状に形成されている。前記躯体２の上部に手摺装置５０が設けられている。この手摺装置５０は、手摺５の支柱６を固定するために躯体２の上部（上面部）２ａに配設される支柱アンカー７と、躯体２の上部２ａに被せられる躯体笠木８とを備えている。支柱アンカー７は躯体２の長手方向に所定の間隔で配設される。
【００１１】
図４は支柱アンカーの正面図、図５は支柱アンカーの取付構造を概略的に示す図である。支柱アンカー７は、躯体２の上部に固着具例えば木ねじ９で固定される基部１０と、該基部１０に立設された立設部１１とを有している。支柱アンカー７は金属製であることが好ましいが、合成樹脂製であってもよい。基部１０は板状で平面方形状であることが好ましいが、これに限定されない。立設部１１は中空角柱状であることが好ましいが、中空円筒状等であっても良い。基部１０の両端部にはこれを固着具例えば木ねじ９で固定するための取付孔部１２が適宜設けられている。取付孔部１２は端辺にそって長穴状に形成されている。木ねじ９は躯体２の外装材４上面から構造材３に捩じ込まれる。支柱アンカー７の基部１０が設置される部分の躯体２の上面部には防水テープ１３が貼着されることが好ましい。
【００１２】
前記躯体笠木８は、例えばアルミ押出形材からなり、支柱アンカー７の基部１０及び躯体２の上部を覆うように形成されている。躯体笠木８は、上面部８ａと、この上面部８ａの両側から下方に垂下された両側片部８ｂ，８ｃとからなり、断面略逆Ｕ字状に形成されている。躯体笠木８は、その両側片部８ｂ，８ｃが躯体２の両側面２ｂ，２ｃに接しないように躯体２の幅よりも大きい幅で形成されている。両側片部８ｂ，８ｃの下縁部には相対向する内向きに突出したリブ状の係止部１４，１４が形成されている。躯体笠木８の上面部２ａはバルコニー１の内側方へ傾斜していることが好ましい。躯体２の上部２ａには躯体笠木８を取付けるためのホルダー１５が躯体２の長手方向に適宜間隔で設置されている。
【００１３】
図７は躯体笠木のホルダーを示す斜視図である。ホルダー１５は、躯体２の上部２ａに載置されて固着具例えば木ねじで取付固定される中央部１５ａと、この中央部１５ａから両側方へ断面略逆Ｕ字状に延出形成された側片部１５ｂ，１５ｃとからなる。ホルダー１５の中央部１５ａにはこれを固着具例えば木ねじで固定するための長穴状の取付孔部１６が適宜設けられている。ホルダー１５の両側片部１５ｂ，１５ｃの上端部に躯体笠木８の上面部８ａ下面を支持させ、ホルダー１５の両側片部１５ｂ，１５ｃの下縁部に躯体笠木８の両側片部８ｂ，８ｃの係止部１４，１４を係止することにより、躯体笠木８が取付固定される。
【００１４】
躯体笠木８には前記支柱アンカー７の立設部１１が下方から貫通する孔部１７が設けられており、該孔部１７を下方から貫通して上方に突出した立設部１１に支柱６の下部が固定されている。孔部１７は躯体笠木８の上面部８ａに丸穴状に形成されている。手摺の支柱６は、例えば中空角柱状に形成されている。支柱６の下端部が当接される部分の躯体笠木８の上面部８ａには支柱６の下端部を受ける例えば合成樹脂製の支柱台座１８が配置されることが好ましい。この支柱台座１８には支柱アンカー７の垂直に起立した柱状ないし突軸状の立設部１１が貫通する孔部１９が設けられ、この孔部１９には立設部１１との間をシールするシール材例えばシリコン２０が充填されていることが好ましい。前記立設部１１には支柱６の下部が固着具例えばねじで直接固定されていても良いが、図示例のように立設部１１にスリーブ２１を装着してねじ２２で固定し、このスリーブ２１に支柱６の下部を被せてねじ２３で固定するようにしても良い。
【００１５】
前記支柱アンカー７の基部１０には躯体笠木８の孔部１７から躯体笠木８内に浸入して流下（滴下を含む）する水を躯体２の幅方向へ導く排水溝２４が設けられ、躯体２の上部ａと基部１０との間には、前記排水溝２４からの水を受けて躯体２の側面２ｂ，２ｃから離れた位置に排水する排水部材２５が配置されている。前記排水溝２４は、基部１０における立設部１１を挟んだ両側であって取付孔部１２よりも内側に堤防部２６，２６を設けることにより形成されている。図示例の堤防部２６は、基部１０の一部を断面逆Ｕ字状に成型することにより形成されている。この場合、躯体笠木８の孔部１７から排水溝２４内に滴下した水が跳ね返り堤防部２６を飛び越えるのを防止するために、堤防部２６は高く形成されていることが好ましい。堤防部２６を高く形成することが困難である場合には、堤防部２６の高さを確保するために堤防部２６の上部にその長手方向に沿って水密材２７を取付けておくことが好ましい。
【００１６】
図６は排水部材を示す図で、（ａ）は平面図、（ｂ）は側面図である。排水部材２５は、長方形の板状であり、両側縁部には立上り部２８，２８が長手方向に連続して形成され、樋状（溝状）に形成されている。排水部材２５の溝幅は排水溝２４の溝幅よりも少し広く、排水部材２５の長さは躯体２の幅よりも長く、且つ躯体笠木８の両側片部８ｂ，８ｃ間に納まる長さとされている。排水部材２５の長手方向両端部は下方、図示例では斜め下方に折り曲げられ、水切り部２９とされている。
【００１７】
排水部材２５は金属製例えばアルミ製であることが好ましいが、合成樹脂製であっても良い。排水部材２５は躯体２の上面部２ａと基部１０の下面との間で挟持されている。基部１０の排水溝２４及び堤防部２６の下面には排水部材２５を収容する凹部３０が形成され、この凹部３０の両側部には排水部材２５の両側の立上り部２８，２８を押えて排水部材２５のガタツキを抑えるためにクッション材例えば水密材３１が設けられていることが好ましい。なお、手摺装置５０は支柱６の上端部に手摺（例えば手摺笠木）５を横架して取付け、支柱６の外側面に面材又は横格子３３を取付けて構成されている。なお、図３中、３４は支柱間に設けられた中間笠木である。
【００１８】
以上の構成からなる手摺装置５０によれば、手摺５の支柱６を固定するために躯体２の上部に配設される支柱アンカー７と、躯体２の上部に被せられる躯体笠木８とを備え、支柱アンカー７は躯体２の上部に固着具例えば木ねじ９で固定される基部１０と、該基部１０に立設された立設部１１とを有し、躯体笠木８に立設部１１が貫通する孔部１７を設け、該孔部１７を貫通した立設部１１に支柱６の下部が固定され、前記基部１０に孔部１７から浸入する水を躯体２の幅方向へ導く排水溝２４を設け、躯体２の上部と基部１０との間に、前記排水溝２４からの水を受けて躯体２の側面２ｂ，２ｃから離れた位置に排水する排水部材２５を配置しているため、排水性が向上し、水の浸入による躯体２の構造材３の腐食及び躯体２の表面の汚れを防止することができる。
【００１９】
すなわち、躯体笠木８の孔部１７から浸入した雨水等の水は、基部１０上面の排水溝２４に収容されて躯体２の幅方向へ導かれるため、水が基部１０の取付孔部１２に流入することがなく、この取付孔部１２から木ねじ９を伝わって躯体２の木製構造材３に浸入するのを防止することができる。この場合、排水溝２４は基部１０に立設部１１を挟んだ両側であって取付孔部１２よりも内側に左右一対の堤防部２６，２６を設けることにより形成されており、その堤防部２６の上部に水密材２７を設ける等により堤防部２６の高さを高くしているため、孔部１７から排水溝２４内に水が滴下して跳ね返ったとしても、水が堤防部２６を飛び越えて取付孔部１２に流入するのを防止することができる。
【００２０】
このように躯体笠木８の孔部１７から浸入した雨水等の水が基部１０の取付孔部１２に流入するのを防止することができるため、水が取付孔部１２の木ねじ９を伝わって躯体２の木製構造材３に浸入するのを防止することができ、木製構造材３の腐食を防止することができ、耐久性の向上が図れる。また、躯体笠木８の孔部１７から浸入した雨水等の水が基部１０の取付孔部１２に流入するのを防止することができるため、取付孔部１２及び木ねじ９の頭部周辺にコーキング材を充填する必要はない。
【００２１】
基部１０の排水溝２４によって躯体２の幅方向に導かれた水は、排水溝２４の端部から基部１０の下の排水部材２５上に流下し、この排水部材２５に導かれて排水部材２５の端部である水切り部２９から排水されて水切りされる。排水部材２５の端部２９は躯体の側面から離れた位置にあるため、躯体２の側面２ｂ，２ｃを濡らすことなく水を排水することができ、躯体２の側面２ｂ，２ｃを濡らさないので躯体２表面すなわち外装材４が汚れ難い。
【００２２】
また、支柱アンカー７と排水部材２５は別体に構成されているため、躯体２の幅が種々異なっていても、躯体２の幅に対応した長さの排水部材２５を選択するだけで共通の支柱アンカー７を使用することができ、コストの低減が図れる。また、排水部材２５の取付けは、支柱アンカー７を躯体２の上部２ａに固着具例えば木ねじ９で取付ける際に躯体２の上部２ａと支柱アンカー７の基部１０との間に挟み込むだけで良いため、施工が容易である。
【００２３】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、本発明の手摺装置は屋上等にも適用することができる。
【図面の簡単な説明】
【００２４】
【図１】本発明の実施の形態である手摺装置を概略的に示す図である。
【図２】手摺装置の要部を説明するための透視図である。
【図３】手摺の一例を示す図で、（ａ）は内側から見た図、（ｂ）は断面図である。
【図４】支柱アンカーの正面図である。
【図５】支柱アンカーの取付構造を概略的に示す図である。
【図６】排水部材を示す図で、（ａ）は平面図、（ｂ）は側面図である。
【図７】躯体笠木のホルダーを示す斜視図である。
【図８】従来の手摺装置の要部を説明するための透視図である。
【符号の説明】
【００２５】
２  躯体
５  手摺
６  支柱
７  支柱アンカー
８  躯体笠木
９  木ねじ（固着具）
１０  基部
１１  立設部
１７  孔部
２４  排水溝
２５  排水部材
５０  手摺装置
【図１】
2005207080.tif 000003
【図２】
2005207080.tif 000004
【図３】
2005207080.tif 000005
【図４】
2005207080.tif 000006
【図５】
2005207080.tif 000007
【図６】
2005207080.tif 000008
【図７】
2005207080.tif 000009
【図８】
2005207080.tif 000010